【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
個人的な介入管理のための方法であって、該方法は、
患者が少なくとも１つの介入の管理に関する情報を入力可能にするコンピュータ上のグラフィカル・ユーザ・インターフェースを提供することと、
該患者に対する該少なくとも１つの介入の管理に関して、該コンピュータ上の該グラフィカル・ユーザ・インターフェースを介して該患者から情報を受信することと、
該少なくとも１つの介入のタイミングが該少なくとも１つの介入の管理に対する推奨されたタイミングに従っていたかを決定することと、
該タイミングが該少なくとも１つの介入の管理に対する推奨されたタイミングに従っていなかった場合に、該コンピュータ上で、該患者に警告を表示することと
を含む、方法。
【請求項２】
前記少なくとも１つの介入は、薬剤の投与、治療薬の投与、栄養剤の投与、ビタミンの投与、運動、理学療法、マッサージ、ストレッチ、摂食量、休息、および睡眠から成る群から選択される少なくとも１つを含む、請求項１に記載の方法。
【請求項３】
前記グラフィカル・ユーザ・インターフェースは、前記少なくとも１つの介入の少なくとも１つの管理に関する情報を含むチャートである、請求項１に記載の方法。
【請求項４】
前記チャートは、複数の時間間隔からのデータを表示する、請求項３に記載の方法。
【請求項５】
前記グラフィカル・ユーザ・インターフェースは、複数のチャートを含み、該複数のチャートの各々は、異なる時間間隔の間の情報を表示する、請求項３に記載の方法。
【請求項６】
前記グラフィカル・ユーザ・インターフェースは、病状評価指標を入力するためのスライダバーを含む、請求項１に記載の方法。
【請求項７】
前記コンピュータは、モバイル機器である、請求項１に記載の方法。
【請求項８】
コンピュータ読み取り可能媒体であって、そのコンテンツが、コンピュータに個人的な介入管理のための方法を行なわせ、該方法は、
患者が少なくとも１つの介入の管理に関する情報を入力可能にするコンピュータ上のグラフィカル・ユーザ・インターフェースを提供することと、
該患者に対する該少なくとも１つの介入の管理に関して、該コンピュータ上の該グラフィカル・ユーザ・インターフェースを介して該患者から情報を受信することと、
該少なくとも１つの介入のタイミングが該少なくとも１つの介入の管理に対する推奨されたタイミングに従っていたかを決定することと
該タイミングが該少なくとも１つの介入の管理に対する推奨されたタイミングに従っていなかった場合に、該コンピュータ上で、該患者に警告を表示することと
を含む、コンピュータ読み取り可能媒体。
【請求項９】
うつ病患者を治療するシステムであって、該システムは、
該うつ病患者が少なくとも１つの病状評価指標を入力することが可能なグラフィカル・ユーザ・インターフェースを提供する手段と、
ある時間間隔の間の該うつ病患者に対する該少なくとも１つの病状評価指標を該グラフィカル・ユーザ・インターフェースを介して該患者から受信する手段と、
該時間間隔にわたる該少なくとも１つの病状評価指標を、該グラフィカル・ユーザ・インターフェースを介して該患者に表示する手段であって、該時間間隔は、該うつ病患者がうつ病エピソードを経験していない少なくとも１つの期間を含む、手段と
を含む、システム。
【請求項１０】
前記病状評価指標は前記うつ病患者の気分である、請求項９に記載のシステム。
【請求項１１】
前記病状評価指標は評価尺度である、請求項９に記載のシステム。
【請求項１２】
前記うつ病患者がうつ病であると診断される前に、少なくとも１つの病状を収集する手段をさらに含む、請求項９に記載のシステム。
【請求項１３】
前記患者に対する少なくとも１つの病状評価指標に関する情報を受信することをさらに含む、請求項１に記載の方法。
【請求項１４】
前記少なくとも１つの介入と前記少なくとも１つの病状評価指標との間の相関を計算することをさらに含む、請求項１３に記載の方法。
【請求項１５】
前記警告は、前記少なくとも１つの介入の適切な管理に関する情報を含む、請求項１に記載の方法。
【請求項１６】
コンピュータ読み取り可能媒体であって、そのコンテンツが、コンピュータに個人的な介入管理のための方法を行なわせ、該方法は、
患者が少なくとも１つの病状評価指標を入力可能にするコンピュータ上のグラフィカル・ユーザ・インターフェースを提供することと、
ある時間間隔の該うつ病患者に対する該少なくとも１つの病状評価指標を、該コンピュータ上の該グラフィカル・ユーザ・インターフェースを介して該患者から受信することと、
ある時間間隔に対する該少なくとも１つの病状評価指標を、該コンピュータ上の該グラフィカル・ユーザ・インターフェースを介して該患者に警告を表示することであって、該時間間隔は、該うつ病患者がうつ病エピソードを経験していない少なくとも１つの期間を含む、ことと
を含む、コンピュータ読み取り可能媒体。
【手続補正２】
【補正対象書類名】明細書
【補正対象項目名】００３４
【補正方法】変更
【補正の内容】
【００３４】
サーバコンピュータプログラムは、システムを実行する関数呼出しを含むことが可能である。クライアントソフトウェアプログラムは、データを保存および分析するための要求を送信可能であって、要求は、入力されたデータを含む。入力されたデータは、メモリ内に保存されるデータファイルまたはデータベースにカプセル化可能である。入力されたデータは、マイクロプロセッサを使用して分析可能である。サーバプログラムは、要求を処理し、データを保存および分析可能である。サーバプログラムは、病状評価指標を表示するグラフィカル要素を生成し、クライアントソフトウェアプログラムにグラフィカル要素を送信可能である。グラフィカル要素は、画像として、クライアントソフトウェアプログラムに送信可能である。クライアントソフトウェアプログラムは、画像を表示可能である。あるいは、サーバソフトウェアプログラムは、グラフィカル要素を表す一連のデータ値を送信可能であって、クライアントソフトウェアプログラムを使用して、グラフィカル要素を生成および表示可能である。
例えば、本発明は以下の項目を提供する。
（項目１）
病状の個人管理のための方法であって、該方法は、
患者が少なくとも１つの病状評価指標および少なくとも１つの介入を入力可能なグラフィカル・ユーザ・インターフェースを提供することと、
ある時間間隔の間の患者に対する少なくとも１つの病状評価指標を受信することと、
該時間間隔の間の該患者に対する少なくとも１つの介入に関する情報を受信することと、
該時間間隔にわたる該少なくとも１つの病状評価指標および介入を表示することと
を含む、方法。
（項目２）
上記少なくとも１つの病状評価指標は、上記患者によって観察される、項目１に記載の方法。
（項目３）
医療機器によって測定される追加病状評価指標を受信することをさらに備える、項目２に記載の方法。
（項目４）
上記介入は、薬剤の投与、治療薬の投与、栄養剤の投与、ビタミンの投与、運動、理学療法、マッサージ、ストレッチ、摂食量、休息、および睡眠から成る群から選択される少なくとも１つを含む、項目１に記載の方法。
（項目５）
上記チャートは上記薬剤に対する薬物動態学データを含む、項目４に記載の方法。
（項目６）
上記グラフィカル要素はチャートである、項目１に記載の方法。
（項目７）
上記チャートは折れ線グラフである、項目６に記載の方法。
（項目８）
時間は上記チャートのｘ軸上に描写される、項目１に記載の方法。
（項目９）
上記時間間隔は、２４時間、１週間、および１ヶ月から成る群から選択される１つである、項目１に記載の方法。
（項目１０）
上記チャートは、複数の時間枠からのデータを表示する、項目６に記載の方法。
（項目１１）
グラフィカル要素を提供することは、複数のチャートを表示することを含み、該複数のチャートの各々は、異なる時間間隔の間の情報を表示する、項目６に記載の方法。
（項目１２）
上記グラフィカル要素は、病状評価指標を入力するためのスライダバーを含む、項目１に記載の方法。
（項目１３）
上記少なくとも１つの介入と上記少なくとも１つの病状評価指標との間の相関を計算することをさらに含む、項目１に記載の方法。
（項目１４）
上記病状は、パーキンソン病を含む運動障害、背痛、片頭痛、線維筋痛を含む疼痛性障害、疲労性障害、うつ病および不安神経症を含む気分障害、摂食障害、ならびにてんかんを含む発作性障害から成る群から選択される１つである、項目１に記載の方法。
（項目１５）
上記少なくとも１つの病状評価指標は、モバイル機器から受信される、項目１に記載の方法。
（項目１６）
上記時間間隔は、実際の時間間隔である、項目１に記載の方法。
（項目１７）
上記時間間隔は、代表的時間間隔である、項目１に記載の方法。
（項目１８）
患者において、介入と病状評価指標との間の相互作用を決定する方法であって、
所定の時間間隔にわたって、少なくとも１つの病状評価指標の記録を取得するステップと、
同じ所定の時間間隔にわたって、介入の記録を取得するステップと、
グラフィック表示内の該所定の時間間隔の少なくとも一部を包含する選択された時間間隔にわたって、該病状評価指標の記録および該介入の記録を例示するステップと、
該患者が該グラフィック表示およびその中に含有されるデータを操作することを可能にするステップであって、それにより、該データを修正し、そのようなデータ間の相関を決定する、ステップと
を含み、該介入と該病状評価指標との間の相互作用が決定可能である、方法。
（項目１９）
コンピュータ可読媒体であって、そのコンテンツが、コンピュータに病状の個人管理のための方法を行なわせ、該方法は、
患者が少なくとも１つの病状評価指標および少なくとも１つの介入を入力可能なグラフィカル・ユーザ・インターフェースを提供することと、
ある時間間隔の間の患者に対する少なくとも１つの病状評価指標を受信することと、
該時間間隔の間の該患者に対する少なくとも１つの介入に関する情報を受信することと、
該時間間隔にわたる該少なくとも１つの病状評価指標および介入を表示することと
を含む、コンピュータ可読媒体。
（項目２０）
コンピュータ可読媒体であって、そのコンテンツが、コンピュータに患者における介入と病状評価指標との間の相互作用を決定する方法を行なわせ、該方法は、
所定の時間間隔にわたって、少なくとも１つの病状評価指標の記録を取得するステップと、
同じ所定の時間間隔にわたって、介入の記録を取得するステップと、
グラフィック表示内の該所定の時間間隔の少なくとも一部を包含する選択された時間間隔にわたって、該病状評価指標の記録および該介入の記録を例示するステップと、
該患者が該グラフィック表示およびその中に含有されるデータを操作することを可能にするステップであって、それにより、該データを修正し、そのようなデータ間の相関を決定する、ステップと
を含み、該介入と該病状評価指標との間の相互作用が決定可能である、コンピュータ可読媒体。
（項目２１）
うつ病患者を治療する方法であって、該方法は、
患者が少なくとも１つの病状評価指標および少なくとも１つの介入を入力可能なグラフィカル・ユーザ・インターフェースを提供することと、
ある時間間隔の間の患者に対する少なくとも１つの病状評価指標を受信することと、
該時間間隔にわたる該少なくとも１つの病状評価指標および介入を表示することであって、該時間間隔は、該患者がうつ病エピソードを経験していない少なくとも１つの期間を含む、ことと
を含む、方法。
（項目２２）
上記病状評価指標は上記患者の気分である、項目２１に記載の方法。
（項目２３）
上記病状評価指標は評価尺度である、項目２１に記載の方法。
（項目２４）
上記患者がうつ病であると診断される前に、少なくとも１つの病状を収集することをさらに含む、項目２１に記載の方法。